(57)【要約】【課題】符号化部における符号発生量と多重処理部における符号発生量との間で誤差が生じた場合であっても、多重処理部の動作を継続させることが可能なデジタル放送信号送出装置を提供する。【解決手段】多重制御部１５において、ＥＳ符号化部１２で生成されるＥＳの符号発生量をＴＳ多重部１１におけるバッファリングの占有量情報として常時監視し、このバッファリングの占有量情報とＴＳ多重部１１で管理している符号量とを比較することで、誤差の発生、つまりＥＳ符号化部１２もしくはＰＥＳ化部１３に障害が発生したか否かを判定し、誤差が発生した場合にバッファリングの動作点を元に戻すようにＴＳ多重部１１を制御するようにしている。【選択図】      図１
2007251841.tif 000002
【特許請求の範囲】
【請求項１】
符号化部にてベースバンド映像信号をヘッダ領域及びデータ領域を有する放送用に規格化されたストリームパケットに圧縮符号化し、多重化部にて前記ストリームパケットをバッファリングし、しかる後に他の複数のストリームパケットと多重化し基準符号量の送出信号として送出するデジタル放送信号送出装置において、
前記符号化部で生成される前記ストリームパケットの出力データ量をバッファリングの占有量として監視し、このバッファリングの占有量と前記基準符号量とを比較することで、誤差を検出する誤差検出手段と、
この誤差検出手段により誤差が検出され、前記符号化部の出力レートが所定レートを下回った場合に、バッファリングの動作点を元に戻すように前記多重化部を制御する制御手段とを具備したことを特徴とするデジタル放送信号送出装置。
【請求項２】
前記符号化部が、前記ベースバンド映像信号からＭＰＥＧ２(Moving Picture Experts Group 2)規定のＥＳ（Elementary Stream）を生成し、このＥＳからＰＥＳ（Packetized Elementary Stream）、このＰＥＳからＴＳ（Transport Stream）パケットを生成するとき、
前記誤差検出手段は、ＥＳの出力データ量をバッファリングの占有量として監視することを特徴とする請求項１記載のデジタル放送信号送出装置。
【請求項３】
前記制御手段は、前記誤差が発生しない正常時のバッファリングの最小占有量を保持しておき、前記誤差検出手段により検出される誤差から前記最小占有量を下回る場合に、前記多重化部における前記ストリームパケットの多重処理を停止することを特徴とする請求項１記載のデジタル放送信号送出装置。
【請求項４】
前記制御手段は、前記ＴＳ中のＰＴＳ（Program Time Stamp）の値を監視し、間隔が正常値と異なる場合にその差分に相当する期間、前記多重化部における前記ＴＳパケットの多重処理を停止することを特徴とする請求項２記載のデジタル放送信号送出装置。
【請求項５】
符号化部にてベースバンド映像信号をヘッダ領域及びデータ領域を有する放送用に規格化されたストリームパケットに圧縮符号化し、多重化部にて前記ストリームパケットをバッファリングし、しかる後に他の複数のストリームパケットと多重化し基準符号量の送出信号として送出するデジタル放送信号送出装置の制御方法において、
前記符号化部で生成される前記ストリームパケットの出力データ量をバッファリングの占有量として監視し、
このバッファリングの占有量と前記基準符号量とを比較することで、誤差を検出し、
誤差が検出され、前記符号化部の出力レートが所定レートを下回る場合に、バッファリングの動作点を元に戻すように前記多重化部を制御するようにしたことを特徴とするデジタル放送信号送出装置の制御方法。
【発明の詳細な説明】
【技術分野】
【０００１】
この発明は、例えばベースバンド映像信号からＭＰＥＧ２(Moving Picture Experts Group 2)規定のＥＳ（Elementary Stream）を生成し、このＥＳからＴＳ（Transport Stream）パケットを生成して送出するデジタル放送信号送出装置及びこのデジタル放送信号送出装置の制御方法に関する。
【背景技術】
【０００２】
デジタル放送送出設備においては、ＭＰＥＧ２(Moving Picture Experts Group 2)符号化方式により符号化された映像ストリームの切り替え、同期化、多重化などの信号処理を施すスタジオ機器が必要不可欠である。
【０００３】
このスタジオ機器として多重処理部では、固定ビットレートのＥＳ（Elementary Stream）を多重する場合に、ＥＳの符号化単位でバッファ占有量情報を監視しながら、そのＥＳを含むＴＳＰ（Transport Stream Packet）の多重位置を計算して決定していた（例えば特許文献１）。
【特許文献１】特開２００３−１０８１９３号公報。
【発明の開示】
【発明が解決しようとする課題】
【０００４】
しかしながら、ＥＳ符号化部に障害が発生するなどにより、ＥＳ符号化部と多重処理部との間で管理している発生符号量に誤差を生じると、多重位置の計算値が正しくなくなり、その時点で多重処理が停止する可能性があった。また、誤差発生時に、ＥＳ符号化部のＥＳ出力レートが所定レートを下回る場合の対応手段については未だに実現されていない。
【０００５】
そこで、この発明の目的は、符号化部における符号発生量と多重処理部における符号発生量との間で如何なる誤差が生じた場合であっても、多重処理部の動作を継続させることが可能なデジタル放送信号送出装置及びこのデジタル放送信号送出装置の制御方法を提供することにある。
【課題を解決するための手段】
【０００６】
この発明は、上記目的を達成するために、下記のように構成される。  
符号化部にてベースバンド映像信号をヘッダ領域及びデータ領域を有する放送用に規格化されたストリームパケットに圧縮符号化し、多重化部にてストリームパケットをバッファリングし、しかる後に他の複数のストリームパケットと多重化し基準符号量の送出信号として送出するデジタル放送信号送出装置において、符号化部で生成されるストリームパケットの出力データ量をバッファリングの占有量として監視し、このバッファリングの占有量と基準符号量とを比較することで、誤差を検出する誤差検出手段と、この誤差検出手段により誤差が検出され、符号化部の出力レートが所定レートを下回る場合に、バッファリングの動作点を元に戻すように多重化部を制御する制御手段とを備えるようにしたものである。
【０００７】
また、符号化部が、ベースバンド映像信号からＭＰＥＧ２(Moving Picture Experts Group 2)規定のＥＳ（Elementary Stream）を生成し、このＥＳからＰＥＳ（Packetized Elementary Stream）、このＰＥＳからＴＳ（Transport Stream）パケットを生成するとき、誤差検出手段は、ＥＳの出力データ量をバッファリングの占有量として監視することを特徴とする。
【０００８】
この構成によれば、符号化部で生成されるＥＳの出力データ量をバッファリングの占有量として常時監視し、この占有量と多重化部から出力される送出信号の基準符号量とを比較することで、誤差の発生、つまり符号化部に障害が発生したか否かを判定し、誤差が発生しかつ符号化部の出力レートが所定レートを下回る場合に、多重化部におけるバッファリングの動作点を元に戻すようにしているので、如何なる誤差が生じても多重化部における多重処理を停止させずに済む。
【発明の効果】
【０００９】
以上詳述したようにこの発明によれば、符号化部における符号発生量と多重処理部における符号発生量との間で如何なる誤差が生じた場合であっても、多重処理部の動作を継続させることが可能なデジタル放送信号送出装置及びこのデジタル放送信号送出装置の制御方法を提供することができる。
【発明を実施するための最良の形態】
【００１０】
以下、この発明の実施形態について図面を参照して詳細に説明する。  
図１は、この発明の一実施形態となるデジタル放送信号送出装置の構成を示すもので、１１はＴＳ多重部である。なお、ここでは説明を簡単にするため、ＴＳ多重部１１の入力チャンネル（系統）数を２チャンネルとし、各チャンネル入力は全てＴＳパケットであるものとする。
【００１１】
この実施形態では、ＴＳ多重部１１の第１入力チャンネルにＥＳ符号化部１２、ＰＥＳ化部１３及びＴＳパケット化部１４を設けている。ＥＳ符号化部１２は、ベースバンド映像信号をＥＳ（Elementary Stream）に符号化するもので、多重制御部１５からの要求に応じて発生符号量をＴＳ多重部１１におけるバッファリングの占有量情報として多重制御部１５に出力する。
【００１２】
ＰＥＳ化部１３は、ＥＳ符号化部１２から出力されるＥＳからＰＥＳ（Packetized Elementary Stream）を生成し、このＰＥＳをＴＳパケット化部１４に出力する。ＴＳパケット化部１４は、ＰＥＳからＴＳパケットを生成し、このＴＳパケットをＴＳ多重部１１に出力する。ＴＳ多重部１１は、入力されたＴＳパケットと第２入力チャンネルから入力されたＰＳＩ（Program Specific information）とを送出ＴＳに多重する。
【００１３】
多重制御部１５は、ＴＳ多重部１１を制御するもので、ＥＳ符号化部１２からＥＳの発生符号量をＴＳ多重部１１におけるバッファリングの占有量情報として取込んでＴＳ多重部１１にて送出される送出ＴＳの符号量、つまり基準符号量と比較し、これにより誤差があるか否かを判定する。そして、誤差があると判定されかつＥＳ符号化部１２のＥＳ出力レートが所定レートより下回る場合に、バッファリングの動作点を元に戻すようにＴＳ多重部１１を制御する。
【００１４】
次に、上記構成における処理動作について説明する。  
ＥＳ符号化部１２で生成されたＥＳは、ＰＥＳ化部１３でＰＥＳに生成され、ＴＳパケット化部１４でＴＳパケットに生成された後、ＴＳ多重部１１に供給される。ＴＳ多重部１１は、入力されるＴＳパケットを図２に示す特性に従って、Ｖ（Ｎ−１）、Ｖ（Ｎ）、Ｖ（Ｎ＋１）、Ｖ（Ｎ＋２）…という順に送出ＴＳに多重して送出する。なお、Ｖは映像のＰＥＳパケットであり、Ｎは自然数を示している。  
ところで、ＥＳ符号化部１２で障害が発生し、ＥＳ符号化部１２で管理している発生符号量とＴＳ多重部１１で管理している発生符号量との間に誤差が生じてしまうと、本来送出されるべきＴＳパケットが所定時間ずれる場合があり、このためＴＳ多重部１１の多重処理が停止してしまうことになる。
【００１５】
そこで、本実施形態では、多重制御部１５において、図３に示す制御処理を実行するようにしている。
【００１６】
多重制御部１５は、ＥＳ符号化部１２で生成されるＥＳの符号発生量をバッファリングの占有量情報として監視し（ステップＳＴ３ａ）、このＥＳの符号発生量とＴＳ多重部１１で管理している符号発生量とを比較し（ステップＳＴ３ｂ）、誤差が発生したか否かの判断を行う（ステップＳＴ３ｃ）。
【００１７】
ここで、誤差が発生しない場合には（Ｎｏ）、多重制御部１５は通常通りの多重処理をＴＳ多重部１１に実行させるが、誤差が発生した場合に（Ｙｅｓ）、ＥＳ符号化部１２のＥＳ出力レートが所定レートを下回るか否かを判定し、下回る場合にバッファリングの動作点を元に戻すようにＴＳ多重部１１を制御する（ステップＳＴ３ｄ）。
【００１８】
なお、バッファリングの動作点を元に戻す方法としては、下記のような方法が考えられている。  
（１）正常時の最小占有量を保持しておき、最小占有量を下回りそうになった場合には、映像の多重を一旦停止する。
【００１９】
（２）ＰＴＳ（Program Time Stamp）の値を監視し、間隔が正常値と異なった場合にはその差分に相当する期間、映像の多重を停止する。
【００２０】
これにより、誤差発生によりＴＳパケットが本来送出されるべき時間より所定時間以上遅れる場合にも、ＴＳ多重部１１の多重処理を停止させずに、ＴＳ多重部１１の多重処理をスムーズに行うことができる。
【００２１】
以上のように上記実施形態では、多重制御部１５において、ＥＳ符号化部１２で生成されるＥＳの符号発生量をＴＳ多重部１１におけるバッファリングの占有量情報として常時監視し、このバッファリングの占有量情報とＴＳ多重部１１で管理している符号量とを比較することで、誤差の発生、つまりＥＳ符号化部１２もしくはＰＥＳ化部１３に障害が発生したか否かを判定し、誤差が発生した場合にバッファリングの動作点を元に戻すようにＴＳ多重部１１を制御するようにしている。
【００２２】
従って、誤差が発生した場合でも、ＴＳ多重部１１における多重処理を停止させることなく、ＴＳ多重部１１の多重処理をスムーズに行うことができる。
【００２３】
なお、この発明は上記実施形態に限定されるものではない。例えば上記実施形態では、ＭＰＥＧ２で規定されるＥＳ、ＰＥＳ、ＴＳパケットを取り扱う例について説明した。しかし、これに限ることはなく、ＭＰＥＧ２以外に、例えば放送用に規格化されたストリームパケットを取り扱うようにしてもよい。
【００２４】
また、上記実施形態では、ＴＳ多重部１１に対し多重制御部１５を設けるようにしたが、多重制御部１５の機能をＴＳ多重部１１に持たせるようにしてもよい。  
その他、デジタル放送信号送出装置の構成、バッファリングの占有量情報の監視方法、ＴＳ多重部の制御方法等についても、この発明の要旨を逸脱しない範囲で種々変形して実施できる。
【図面の簡単な説明】
【００２５】
【図１】この発明の一実施形態となるデジタル放送信号送出装置の構成を示すブロック図。
【図２】同実施形態において、ＴＳ多重部から出力される送出ＴＳの送出状態を説明するために示す特性図。
【図３】同実施形態における多重制御部の制御手順を説明するために示すフローチャート。
【符号の説明】
【００２６】
１１…ＴＳ多重部、１２…ＥＳ符号化部、１３…ＰＥＳ化部、１４…ＴＳパケット化部、１５…多重制御部。
【図１】
2007251841.tif 000003
【図２】
2007251841.tif 000004
【図３】
2007251841.tif 000005